(57)【要約】    【課題】      伝送路の通信状況を示すデータを用いて、送信データ量を最適化すること。    【解決手段】  設定部８０は、伝送路の通信状況を示す入力情報と、通信するデータ量を制御する制御情報とを対応づける対応表を記憶する記憶領域を有し、前記対応表を用いて、前記入力情報を変換して制御情報を生成し、設定する。入力情報は、往復遅延時間、データ再送数、自局端末の送信電力値、相手先の通信端末の送信電力値の少なくともいずれかを含む。  【選択図】      図１
2006222663.tif 000002
【特許請求の範囲】
【請求項１】
伝送路の通信状況を示す入力情報と、通信するデータ量を制御する制御情報とを対応づける対応表を記憶する記憶領域と、
前記対応表を用いて、前記入力情報を変換して制御情報を生成し、設定する設定手段と、
を備えることを特徴とする通信端末。
【請求項２】
前記設定手段は、入力情報として、往復遅延時間と、データ再送数と、送信電力値との少なくともいずれかを用いることを特徴とする請求項１記載の通信端末。
【請求項３】
伝送路の通信状況を示す入力情報と、通信するデータ量を制御する制御情報とを対応づける対応表を記憶する対応表記憶工程と、
前記対応表を用いて、前記入力情報を変換して制御情報を生成し、設定する設定工程と、
を備えることを特徴とする通信データ量制御方法。
【請求項４】
伝送路の通信状況を示す入力情報と、通信するデータ量を制御する制御情報とを対応づける対応表を記憶する対応表記憶工程と、
前記対応表を用いて、前記入力情報を変換して制御情報を生成し、設定する設定工程と、
を備える通信データ量制御方法を実現する計算機で実行可能なプログラム。
【発明の詳細な説明】
【技術分野】
【０００１】
本発明は、通信するデータ量を制御する通信端末及び通信データ量制御方法に関する。
【背景技術】
【０００２】
従来、送信データ量を変更するために、受信側の通信端末が、送信側の通信端末を制御する方法として次のような技術が開示されている。受信側の通信端末は、リアルタイムに受信するデータパケット内に存在するタイムスタンプやシーケンスナンバーからパケットの損失やゆらぎを取得し、判断し、受信側の通信端末から送信側の通信端末へ送信データ量の変更要求を送信する。これにより、受信側の通信端末は、受信データ量の制御を可能とし、音切れや画像の乱れなどを発生させることをなくし、効率のよいリアルタイムデータ通信を可能とするものがある（特許文献１）。
【０００３】
また、無線接続により構成されたテレビ電話システムにおいて、伝送路の通信状況により音切れや画像の乱れが発生する可能性が増大する。これを低減するためにエラー検出やエラー補正技術を使用することのほかに、通信するデータ量やデータパケットの形態を制御する方法がある。この方法では、制御情報として通知する設定値により、通信するデータ量やデータパケットの形態を制御することが可能となる。例えば、ＣＲＣエラー補償ツールの誤り率に基づいて、制御情報を生成し、各機能構成部に通知しているものがあった。
【特許文献１】特開２０００−３３２８２９号公報
【発明の開示】
【発明が解決しようとする課題】
【０００４】
しかしながら、従来の制御方法で用いる制御情報は、伝送路の状況を示す通信状況を反映させるには充分でなく、より細かな制御を行うためには、より多くの通信状況を反映させた情報が必要となる。特に、往復遅延時間、データ再送数、送信電力値、等の情報を用い、各情報を個別に、または、相互に関連づけて制御情報を生成することが必要となる。
【０００５】
本発明は、かかる点に鑑みてなされたものであり、伝送路の通信状況を示すデータを用いて、送信データ量を最適化することを目的とする。
【課題を解決するための手段】
【０００６】
本発明の通信端末は、伝送路の通信状況を示す入力情報と、通信するデータ量を制御する制御情報とを対応づける対応表を記憶する記憶領域と、前記対応表を用いて、前記入力情報を変換して制御情報を生成し、設定する設定手段と、を備える構成を採る。
【発明の効果】
【０００７】
本発明によれば、伝送路の通信状況を示すデータを用いて、送信データ量を最適化することができる。
【発明を実施するための最良の形態】
【０００８】
以下、本発明の実施の形態について、図面を参照して詳細に説明する。
【０００９】
図１は、本発明の実施の形態の通信端末の構成の一例を示すブロック図である。通信端末１００は、基地局１０９０を介して、他の通信端末（図１では図示せず）と双方向の通信を行う。
【００１０】
通信端末１００は、映像圧縮伸張部１０、音声圧縮伸張部２０、多重化部３０、ベースバンド部４０、制御部５０、分割結合部６０、再送部７０、並びに設定部８０を備える。また、図１には明示していないが、通信端末１００は、映像を撮影するカメラ、音声を入力するマイク、映像データを表示するモニタ、並びに音声データを出力するスピーカを備える。
【００１１】
映像圧縮伸張部１０は、カメラから取り込まれた映像データを圧縮（符号化）し、他の通信端末から受信した符号化された映像データを伸張（復号化）する。復号化されたデータはモニタに表示される。映像圧縮伸張部１０は、映像を符号化する際に、さまざまな制御情報に基づいて符号化する。従って、制御情報の設定値を変えることで、符号化後のデータ量の大小と、映像のきれいさを制御できる。一般にデータ量を小さくすると、無線伝送路や他の通信端末での復号化への負荷が少ない分映像が荒く、逆にデータ量を多くすると、無線伝送路や他の通信端末での復号化に負荷がかかる分鮮明な映像を送信できる。
【００１２】
音声圧縮伸張部２０は、マイクから取り込まれた音声データを圧縮（符号化）し、他の通信端末から受信した音声データを伸張（復号化）する。復号化したデータはスピーカに出力する。
【００１３】
多重化部３０は、データ（音声データ、映像データ）を多重化する。データを送信する場合に、データを制御情報にて指定したデータ量の割合に基づいてデータ列を作成する。
【００１４】
ベースバンド部４０は、基地局１０９０との無線回線を維持するため、Ｗ−ＣＤＭＡ（Wideband Code Division Multiple Access）やＰＤＣ（Personal Digital Cellular）などの通信方式を実現する。
【００１５】
制御部５０は、テレビ電話を開始する前に、端末の機能や多重化テーブル情報の交換、論理チャネルの開設、閉鎖など、他の通信端末との取り決めを行うためのデータ列を作成する。また、遅延時間測定部５１を含む。
【００１６】
遅延時間測定部５１は、他の通信端末とデータコマンドを送受信（往復）することによって、送信から応答までのデータの往復にかかる時間を計測する。
【００１７】
分割結合部６０は、データ列を分割／結合する。送信時において、長いデータ列の場合、ある程度の長さに分割し送信し、受信時において、受信したデータ列を結合し一つのデータ列に復元する。
【００１８】
再送部７０は、データ列を再送する。通信端末１００は、データ列を送信する際に連番を付加し、他の通信端末からの受信確認、及び、再送要求に対する応答を行う。他の通信端末から再送要求とともに番号を受信すると、指定された番号を再送する。また、再送数監視部７１を含む。
【００１９】
再送数監視部７１は、データ列の再送数をカウントする。データ列の再送数は、ノイズが多い環境の場合、データ列が破壊され再送数が増加し、逆にノイズが少ない環境の場合、データ列の再送数は減少する。
【００２０】
設定部８０は、通信回線の伝送路の送信状況を示す情報に基づいて、各構成要素を制御する制御情報を作成し、各構成要素へ通知する。
【００２１】
また、図１では、次に示す符号について、データの流れを示している。符号１１００から１１０４は、制御情報であり、設定値を通知し、通信するデータ量やデータパケットの形態を制御することが可能となる。また、符号１１１０から１１１３は、入力情報であり、制御情報を生成する際に用いられる。
【００２２】
１１００は、設定部８０から映像圧縮伸張部１０へ通知される制御情報であり、量子化値、及び、ビデオパケット長、フレームレート、ビットレート、画像サイズ、静止画表示（コーデック停止）の各機能の設定値を通知する。
【００２３】
１１０１は、設定部８０から音声圧縮伸張部２０へ通知される制御情報であり、ビットレートを通知する。
【００２４】
１１０２は、設定部８０から多重化部３０へ通知される制御情報であり、多重化テーブルエントリ番号を通知する。
【００２５】
１１０３は、設定部８０から分割結合部６０へ通知される制御情報であり、分割データ長を通知する。
【００２６】
１１０４は、設定部８０から再送部７０へ通知される制御情報であり、最大再送回数を通知する。
【００２７】
１１１０は、遅延時間測定部５１にて計測された往復遅延時間情報である。往復遅延時間情報１１１０は、少なくとも、計測日時と往復遅延時間とを含む。
【００２８】
１１１１は、再送数監視部７１により計測されたデータ再送数情報である。データ再送数情報１１１１は、計測日時とデータ再送数とを含む。
【００２９】
１１１２は、ベースバンド部４０が基地局１０９０と通信する際の送信電力情報である。送信電力情報１１１２は、少なくとも計測日時と送信電力値とを含む。
【００３０】
１１１３は、他の通信端末で計測され、通知された他の通信端末の送信電力情報である。他の通信端末の送信電力情報１１１３は、少なくとも計測日時と送信電力値とを含む。
【００３１】
１１１４は、他の通信端末へデータを送信する際に、他の通信端末へ通知する送信電力情報であり、送信電力情報１１１２が用いられる。
【００３２】
図１に示す通信端末１００を携帯端末へ適用した実施の形態を以下に示す。携帯端末は、無線回線を用いて、動画と音声を双方向で送受信するテレビ電話システムを実現する機能を有する場合を想定している。
【００３３】
（実施の形態１）
実施の形態１では、図１に示す通信端末の構成をＩＴＵ−Ｔ勧告Ｈ．３２４規格を使用した携帯端末へ適用した場合について、図面を用いて説明する。
【００３４】
図２は、本発明の実施の形態１に係る携帯端末１０００の構成を示すブロック図である。なお、図１と同じ符号のものは、同じ名称、同様の機能を有するため、説明を省略する。
【００３５】
Ｈ．２６３構成部１０１０は、映像圧縮伸張部１０の一例であり、３Ｇ−Ｈ．３２４Ｍで規定された映像データの圧縮／伸張規格に基づいて、映像データを圧縮（符号化）・伸張（復号）する。
【００３６】
ＡＭＲ（Adaptive Multi-Rate）構成部１０２０は、音声圧縮伸張部２０の一例であり、３Ｇ−Ｈ．３２４Ｍで規定された音声データの圧縮／伸張規格に基づいて、音声データを圧縮（符号化）・伸張（復号）する。
【００３７】
Ｈ．２２３構成部１０３０は、多重化部３０の一例であり、３Ｇ−Ｈ．３２４Ｍで規定された、映像、音声、データの多重化規格に基づいて、データを多重化する。携帯端末１０００は、送信する際、Ｈ．２６３符号化データ、ＡＭＲ符号化データ、他の通信端末への送信データ（文字、制御コマンドなど）を制御情報にて指定したデータ量の割合に基づいてデータ列を作成する。１つのデータ列を構成する映像、音声、データの割合は、後述する図７に示す多重化テーブルで指定する。
【００３８】
ベースバンド構成部１０４０は、ベースバンド部４０の一例であり、ベースバンド部４０と同様の機能を有する。
【００３９】
Ｈ．２４５構成部１０５０は、制御部５０の一例であり、３Ｇ−Ｈ．３２４Ｍで規定された他の通信端末との制御プロトコルに基づいて、データ列を作成する。
【００４０】
ＣＣＳＲＬ（Control Channel Segmentation and Reassembly Layer）構成部１０６０は、分割結合部６０の一例であり、Ｈ．３２４（３Ｇ−Ｈ．３２４Ｍでも使用）で規定されたデータ列の分割／結合に関する規格に基づいて、データ列を分割／結合する。
【００４１】
ＮＳＲＰ（Numbered Simple Retransmission Protocol）構成部１０７０は、再送部７０の一例であり、３Ｇ−Ｈ．３２４Ｍ（Ｈ．３２４ではＳＲＰ）で規定されたデータ列を再送する。
【００４２】
制御情報設定部１０８０は、設定部８０の一例であり、通信回線の送信状況を示す情報に基づいて、各構成要素を制御する制御情報を作成し、各構成要素へ通知する。
【００４３】
図３は、本実施の形態の制御情報設定部１０８０の構成の一例を示すブロック図である。図３において、入力情報処理部２００１は、符号１１１０〜１１１３で示す入力情報を、所定の対応表（例えば、図４）を用いて制御情報変更信号２０１０へ変更する。制御情報変更信号処理部２００２は、制御情報変更信号２０１０を入力し、所定の対応表（例えば、図５から図９）を用いて、各構成部向けの制御情報１１００〜１１０４へ変更する。各構成部向けの処理は、Ｈ．２６３構成処理、ＡＭＲ構成処理、Ｈ．２２３構成処理、ＣＣＳＲＬ構成処理、並びにＮＳＲＰ構成処理それぞれにおいて実施される。
【００４４】
図４は、入力情報と制御情報変更信号２０１０との対応表の一例を示す図である。所定の入力情報をＸとすると、入力情報処理部２００１に入力された入力情報Ｘに対して制御情報変更信号２０１０へと変換する対応表である。図４の対応表は、一つのまたは複数の入力情報Ｘそれぞれについて用意され、入力情報処理部２００１に備えられている記憶領域に記憶されている。
【００４５】
図５は、制御情報変更信号と制御情報との対応表（Ｈ．２６３構成処理）の一例を示す図である。制御情報変更信号処理部２００２に入力された制御情報変更信号２０１０に対して、Ｈ．２６３構成部１０１０の各機能（量子化値、ビデオパケット長、フレームレート、ビットレート、画像サイズ、静止画表示（コーデック停止）のうち、０個もしくはいずれか１つもしくは複数）の値を設定する制御情報１１００へと変換する対応表である。
【００４６】
図６は、制御情報変更信号とＡＭＲ制御情報との対応表（ＡＭＲ構成処理）の一例を示す図である。制御情報変更信号処理部２００２に入力された制御情報変更信号２０１０に対して、ＡＭＲ構成部１０２０のビットレート（１秒間に何ビット送信するかの値）を設定する制御情報１１０１へと変換する対応表である。
【００４７】
図７は、制御情報変更信号とＨ．２２３多重化制御情報との対応表（Ｈ．２２３構成処理）の一例を示す図である。制御情報変更信号処理部２００２に入力された制御情報変更信号２０１０に対して、Ｈ．２２３構成部１０３０のあらかじめ登録してある多重化テーブルエントリ番号を設定する制御情報１１０２へと変換する対応表である。ここで、多重化テーブルは、最大１６テーブルが登録できる。また、多重化の割合を変更する場合には、多重化テーブルエントリ番号と呼ばれる１〜１５の番号を指定することによって変更する。逆に、他の通信端末から受信した多重化されたデータは、あらかじめ自局端末と他の通信端末とで取り決めたテーブル番号に基づいて逆多重化（映像、音声、データをそれぞれ別々のデータ列に分解）する。
【００４８】
図８は、制御情報変更信号とＣＣＳＲＬ制御情報との対応表（ＣＣＳＲＬ構成処理）の一例を示す図である。制御情報変更信号処理部２００２に入力された制御情報変更信号２０１０に対して、ＣＣＳＲＬ構成部１０６０の分割データ長を設定する制御情報１１０３へと変換する対応表である。
【００４９】
図９は、制御情報変更信号とＮＳＲＰ制御情報との対応表（ＮＳＲＰ構成処理）の一例を示す図である。制御情報変更信号処理部２００２に入力された制御情報変更信号２０１０に対して、ＮＳＲＰ構成部１０７０の最大再送数を設定する制御情報１１０４へと変換する対応表である。
【００５０】
なお、図５から図９の対応表は、制御情報変更信号処理部２００２に備えられる記憶領域に記憶されている。
【００５１】
以上のように構成された携帯端末１０００が、伝送路の通信状況を反映した所定の情報から、送信データ量を制御する各構成部への制御情報を変更する様子を、具体例を挙げて示す。
【００５２】
図３の制御情報設定部１０８０は、各構成部に対し制御情報（符号１１００〜１１０４の制御情報）を通知する際、まず、所定の入力情報Ｘを入力情報処理部２００１に入力する。ここでは、入力情報処理部２００１は、複数の入力情報Ｘ（図３では、符号１１１０〜１１１３の入力情報）を入力する場合を説明する。
【００５３】
入力情報処理部２００１は、所定の入力情報Ｘに対し各々図４に示す対応表に基づいて、入力情報Ｘがある閾値Ｔｍｉｎより小さい場合（Ｘ＜Ｔｍｉｎ）、制御情報変更信号２０１０として＋１を出力し、情報Ｘがある閾値Ｔｍｉｎ以上Ｔｍａｘ以下の場合（Ｔｍｉｎ≦Ｘ≦Ｔｍａｘ）、制御情報変更信号２０１０として０を出力し、情報Ｘがある閾値Ｔｍａｘより大きい場合（Ｔｍａｘ＜Ｘ）、制御情報変更信号２０１０として−１を出力する。前記各々の所定の入力情報Ｘにて同様の処理を行い、制御情報変更信号２０１０の和は、制御情報変更信号処理部２００２に入力される。
【００５４】
制御情報変更信号処理部２００２は、制御情報変更信号２０１０の和に対し、図５から図９に示す対応表を用いて制御情報を生成する。図５の対応表は、制御情報変更信号処理部２００２のＨ．２６３構成処理において用いられ、制御情報変更信号処理部２００２は、制御情報変更信号２０１０の和によって、量子化値Ｙｖｑ１〜Ｙｖｑ９、ビデオパケット長Ｙｖｌ１〜Ｙｖｌ９、フレームレートＹｖｆ１〜Ｙｖｆ９、ビットレートＹｖｂ１〜Ｙｖｂ９、画像サイズＹｖｓ１〜Ｙｖｓ９、静止画表示（コーデック停止）Ｙｖｐ１〜Ｙｖｐ９、のそれぞれいずれかを出力とし、それぞれの出力値を制御情報１１００としてＨ．２６３構成部１０１０に通知する。
【００５５】
図６の対応表は、制御情報変更信号処理部２００２のＡＭＲ構成処理において用いられ、制御情報変更信号処理部２００２は、制御情報変更信号２０１０の和によって、ビットレートＹａｂ１〜Ｙａｂ９のいずれかを出力とし、制御情報１１０１としてＡＭＲ構成部１０２０に通知する。図７の対応表は、制御情報変更信号処理部２００２のＨ．２２３構成処理において用いられ、制御情報変更信号処理部２００２は、制御情報変更信号２０１０の和によって、多重化テーブルエントリ番号Ｙｍｔ１〜Ｙｍｔ９のいずれかを出力とし、制御情報１１０２としてＨ．２２３構成部１０３０に通知する。
【００５６】
図８の対応表は、制御情報変更信号処理部２００２のＣＣＳＲＬ構成処理において用いられ、制御情報変更信号処理部２００２は、制御情報変更信号２０１０の和によって、分割データ長Ｙｓｌ１〜Ｙｓｌ９のいずれかを出力とし、制御情報１１０３としてＣＣＳＲＬ構成部１０６０に通知する。図９の対応表は、制御情報変更信号処理部２００２のＮＳＲＰ構成処理において用いられ、制御情報変更信号処理部２００２は、制御情報変更信号２０１０の和によって、最大再送数Ｙｎｍ１〜Ｙｎｍ９のいずれかを出力とし、制御情報１１０４としてＮＳＲＰ構成部１０７０に通知する。制御情報１１００〜１１０４を受け取った各構成部は、制御情報１１００〜１１０４に基づいて、データ量を変更することができる。
【００５７】
制御情報設定部１０８０は、送信データパケットの再送回数を示すデータ再送数、他の通信端末との制御情報の送信から応答を受信するまでの往復遅延時間情報、自局端末の送信電力情報、及び、他局端末の送信電力情報を取得し、各値が各々ある閾値を超えたことを認識すると、送信データ量を減少、多重化パターンエントリにおける音声の占めるデータ量の増加、最大再送回数の増加、分割データパケットサイズの縮小など各値を制御し、通信品質の維持を図る。
【００５８】
このように、本実施の形態によれば、制御情報を受け取った各構成部は、伝送路の通信状況を反映させて送信データ量を最適化することが可能となり、送信データ量を増減させる設定を行うことで、音切れや画像の乱れなどが発生することをなくし、効率のよいリアルタイムデータ通信を可能とする効果が得られる。
【００５９】
なお、図３では、所定の情報Ｘは、複数の場合を示しているが、所定の情報Ｘはいずれか１つでもよい。また、制御情報変更信号処理部２００２は、複数の構成部それぞれに対応する複数の制御情報を出力する場合を示しているが、いずれか１つでも複数でもよい。また、図５に示す表の機能についても０個またはいずれか１つまたは複数でもよく、また、図４の閾値は２つではなく１つでも３つ以上でもよい。
【００６０】
（実施の形態２）
実施の形態２では、所定の入力情報として遅延時間測定部５１にて計測した、往復遅延時間情報１１１０のみを制御情報に反映させ、かつ、往復遅延時間が小さくなった時の様子を図２、図５、図１０、図１１を用いて説明する。以下の説明では、往復遅延時間をＸｔと記し、Ｘｔ−１は、Ｘｔより一つ前に計測された往復遅延時間を示す。
【００６１】
図１０は、本実施の形態の制御情報設定部の構成の一例を示すブロック図である。図１０は、図３の制御情報設定部１０８０と同様の構成であるが、入力情報が遅延時間測定部５１からの制御情報のみになっている点が異なる。また、入力情報の入力経路を示す矢印は、往復遅延時間情報１１１０の入力経路のみを示している。
【００６２】
図１１は、本実施の形態の入力情報（往復遅延時間情報）と制御情報変更信号の対応表の一例を示す図である。対応表は、入力情報処理部２００１に備えられている。
【００６３】
次いで、本実施の形態の制御情報設定部１０８０の動作を説明する。前提条件として時系列的に以前の往復遅延時間Ｘｔ−１を、Ｔｔｍｉｎ≦Ｘｔ−１≦Ｔｔｍａｘ、現在の往復遅延時間情報Ｘｔを、Ｘｔ＜Ｔｔｍｉｎとする。Ｔｔｍｉｎ、Ｔｔｍａｘは、閾値であり、Ｔｔｍｉｎ＜Ｔｔｍａｘの関係を有する。また、図５において、量子化
値のみを使用して、Ｈ．２６３構成部１０１０を制御し、その他の構成要素である、ＡＭＲ構成部１０２０、Ｈ．２２３構成部１０３０、ＣＣＳＲＬ構成部１０６０、及び、ＮＳＲＰ構成部１０７０は制御しないものとする。
【００６４】
制御情報設定部１０８０は、各構成部に対し制御情報を通知する際、所定の入力情報として往復遅延時間情報１１１０を入力情報処理部２００１に入力する。入力情報処理部２００１は、図１１の対応表に基づいて、Ｘｔ＜Ｔｔｍｉｎの場合、制御情報変更信号２０１０として＋１を出力する。制御情報変更信号２０１０は、制御情報変更信号処理部２００２に入力される。
【００６５】
制御情報変更信号処理部２００２は、制御情報変更信号２０１０に対し、図５の対応表を用いて、制御情報変更信号２０１０（＋１）によって、量子化値Ｙｖｑ６を出力とし、制御情報１１００としてＨ．２６３構成部１０１０に通知する。
【００６６】
ここで、以前の往復遅延時間Ｘｔ−１の場合を検討すると、図１１に示す対応表より、制御情報変更信号２０１０として０を出力する。制御情報変更信号２０１０は、制御情報変更信号処理部２００２に入力される。制御情報変更信号処理部２００２は、図５の対応表を用いて、制御情報変更信号２０１０（０）によって、量子化値Ｙｖｑ５を出力とし、制御情報１１００としてＨ．２６３構成部１０１０に通知する。往復遅延時間がＸｔ−１からＸｔへの変化することにより、量子化値をＹｖｑ５からＹｖｐ６へ減少させ、送信データ量を増加させることになる。
【００６７】
このように、本実施の形態によれば、伝送路の通信状況の一つを示す往復遅延時間を用いて、送信データ量を増減させることが可能となる。
【００６８】
（実施の形態３）
実施の形態３では、所定の入力情報として再送数監視部７１にて計測した、データ再送数情報１１１１のみを制御情報に反映させ、かつ、データ再送数が小さくなった時の様子を図２、図５、図１２、図１３を用いて説明する。以下の説明では、データ再送数をＸｎと記し、Ｘｎ−１は、Ｘｎより一つ前に計測されたデータ再送数を示す。
【００６９】
図１２は、本実施の形態の制御情報設定部の構成の一例を示すブロック図である。図１２は、図３の制御情報設定部１０８０と同様の構成であるが、入力情報が再送数監視部７１からの制御情報のみになっている点が異なる。また、入力情報の入力経路を示す矢印は、データ再送数情報１１１１の入力経路のみを示している。
【００７０】
図１３は、本実施の形態の入力情報（データ再送数情報）と制御情報変更信号の対応表の一例を示す図である。対応表は、入力情報処理部２００１に備えられている。
【００７１】
次いで、本実施の形態の制御情報設定部１０８０の動作を説明する。前提条件として時系列的に以前のデータ再送数Ｘｎ−１を、Ｔｎｍｉｎ≦Ｘｎ−１≦Ｔｎｍａｘ、現在のデータ再送数Ｘｎを、Ｘｎ＜Ｔｎｍｉｎとする。Ｔｎｍｉｎ、Ｔｎｍａｘは、閾値であり、Ｔｎｍｉｎ＜Ｔｎｍａｘの関係を有する。また、図５において、量子化値のみを使用して、Ｈ．２６３構成部１０１０を制御し、その他の構成要素である、ＡＭＲ構成部１０２０、Ｈ．２２３構成部１０３０、ＣＣＳＲＬ構成部１０６０、及び、ＮＳＲＰ構成部１０７０は制御しないものとする。
【００７２】
制御情報設定部１０８０は、各構成部に対し制御情報を通知する際、所定の入力情報としてデータ再送数情報１１１１を入力情報処理部２００１に入力する。入力情報処理部２００１は、図１３の対応表に基づいて、Ｘｎ＜Ｔｎｍｉｎの場合、制御情報変更信号２０１０として＋１を出力する。制御情報変更信号２０１０は、制御情報変更信号処理部２００２に入力される。
【００７３】
制御情報変更信号処理部２００２は、制御情報変更信号２０１０に対し、図５の対応表を用いて、制御情報変更信号２０１０（＋１）によって、量子化値Ｙｖｑ６を出力とし、制御情報１１００としてＨ．２６３構成部１０１０に通知する。
【００７４】
ここで、以前のデータ再送数Ｘｎ−１の場合を検討すると、図１３に示す対応表より、制御情報変更信号２０１０として０を出力する。制御情報変更信号２０１０は、制御情報変更信号処理部２００２に入力される。制御情報変更信号処理部２００２は、図５の対応表を用いて、制御情報変更信号２０１０（０）によって、量子化値Ｙｖｑ５を出力とし、制御情報１１００としてＨ．２６３構成部１０１０に通知する。データ再送数がＸｎ−１からＸｎへの変化することにより、量子化値をＹｖｑ５からＹｖｐ６へ減少させ、送信データ量を増加させる。
【００７５】
このように、本実施の形態によれば、伝送路の通信状況の一つを示すデータ再送数を用いて、送信データ量を増減させることが可能となる。
【００７６】
（実施の形態４）
実施の形態４では、所定の入力情報としてベースバンド構成部１０４０と基地局１０９０との送信電力値（自局端末の送信電力値）を送信電力情報１１１２として取得し、送信電力情報１１１２のみを制御情報に反映させ、かつ、送信電力値が小さくなった時の様子を図２、図５、図１４、図１５を用いて説明する。以下の説明では、送信電力値をＸｗｍと記し、Ｘｗｍ−１は、Ｘｗｍより一つ前に取得した送信電力値を示す。
【００７７】
図１４は、本実施の形態の制御情報設定部の構成の一例を示すブロック図である。図１４は、図３の制御情報設定部１０８０と同様の構成であるが、入力情報がベースバンド構成部１０４０からの制御情報のみになっている点が異なる。また、入力情報の入力経路を示す矢印は、送信電力情報１１１２の入力経路のみを示している。
【００７８】
図１５は、本実施の形態の入力情報（自局端末の送信電力値）と制御情報変更信号の対応表の一例を示す図である。対応表は、入力情報処理部２００１に備えられている。
【００７９】
次いで、本実施の形態の制御情報設定部１０８０の動作を説明する。前提条件として時系列的に以前の送信電力値Ｘｗｍ−１を、ｍｉｎ≦Ｘｗｍ−１≦Ｔｗｍｍａｘ、現在の送信電力値Ｘｗｎを、Ｘｗｍ＜Ｔｗｍｍｉｎとする。Ｔｗｍｍｉｎ、Ｔｗｍｍａｘは、閾値であり、Ｔｗｍｍｉｎ＜Ｔｗｍｍａｘの関係を有する。また、図５において、量子化値のみ使用して、Ｈ．２６３構成部１０１０を制御し、その他の構成要素である、ＡＭＲ構成部１０２０、Ｈ．２２３構成部１０３０、ＣＣＳＲＬ構成部１０６０、及び、ＮＳＲＰ構成部１０７０は制御しないものとする。
【００８０】
制御情報設定部１０８０は、各構成部に対し制御情報を通知する際、所定の入力情報として送信電力情報１１１２を入力情報処理部２００１に入力する。また、送信電力情報１１１２は、他の通信端末へ送信するために送信電力情報１１１４としてＨ．２２３構成部１０３０に通知される。入力情報処理部２００１は、図１５の対応表に基づいて、Ｘｗｍ＜Ｔｗｍｍｉｎの場合、制御情報変更信号２０１０として＋１を出力する。制御情報変更信号２０１０は、制御情報変更信号処理部２００２に入力される。
【００８１】
制御情報変更信号処理部２００２は、制御情報変更信号２０１０に対し、図５の対応表を用いて、制御情報変更信号２０１０（＋１）によって、量子化値Ｙｖｑ６を出力とし、制御情報１１００としてＨ．２６３構成部１０１０に通知する。
【００８２】
ここで、以前の送信電力値Ｘｗｍ−１の場合を検討すると、図１５に示す対応表より、制御情報変更信号２０１０として０を出力する。制御情報変更信号２０１０は、制御情報変更信号処理部２００２に入力される。制御情報変更信号処理部２００２は、図５の対応表を用いて、制御情報変更信号２０１０（０）によって、量子化値Ｙｖｑ５を出力とし、制御情報１１００としてＨ．２６３構成部１０１０に通知する。送信電力値がＸｗｍ−１からＸｗｍへの変化することにより、量子化値をＹｖｑ５からＹｖｐ６へ減少させ、送信データ量を増加させる。
【００８３】
このように、本実施の形態によれば、伝送路の通信状況の一つを示す自局端末の送信電力値を用いて、送信データ量を増減させることが可能となる。
【００８４】
（実施の形態５）
実施の形態５では、所定の入力情報としてＨ．２２３構成部１０３０にて逆多重化された他の通信端末から通知された送信電力値を、他の通信端末の送信電力情報１１１３として取得し、他の通信端末の送信電力情報１１１３のみを制御情報に反映させ、かつ、送信電力値が小さくなった時の様子を図２、図５、図１６、図１７を用いて説明する。以下の説明では、他の通信端末の送信電力値をＸｗｏと記し、Ｘｗｏ−１は、Ｘｗｏより一つ前に取得した送信電力値を示す。
【００８５】
図１６は、本実施の形態の制御情報設定部の構成の一例を示すブロック図である。図１６は、図３の制御情報設定部１０８０と同様の構成であるが、入力情報がＨ．２２３構成部１０３０からの制御情報のみになっている点が異なる。また、入力情報の入力経路を示す矢印は、他の通信端末の送信電力情報１１１３の入力経路のみを示している。
【００８６】
図１７は、本実施の形態の入力情報（他の通信端末の送信電力値）と制御情報変更信号の対応表の一例を示す図である。対応表は、入力情報処理部２００１に備えられている。
【００８７】
次いで、本実施の形態の制御情報設定部１０８０の動作を説明する。前提条件として時系列的に以前の送信電力情報Ｔｗｏｍｉｎ≦Ｘｗｏ−１≦Ｔｗｏｍａｘ、現在の送信電力情報Ｘｗｏ＜Ｔｗｏｍｉｎとする。Ｔｗｏｍｉｎ、Ｔｗｏｍａｘは、閾値であり、Ｔｗｏｍｉｎ＜Ｔｗｏｍａｘの関係を有する。また、図５において、量子化値のみ使用して、Ｈ．２６３構成部１０１０を制御し、その他の構成要素である、ＡＭＲ構成部１０２０、Ｈ．２２３構成部１０３０、ＣＣＳＲＬ構成部１０６０、及び、ＮＳＲＰ構成部１０７０は制御しないものとする。
【００８８】
制御情報設定部１０８０は、各構成部に対し制御情報を通知する際、所定の入力情報として他の通信端末の送信電力情報１１１３を入力情報処理部２００１に入力する。入力情報処理部２００１は、図１７の対応表に基づいて、Ｘｗｏ＜Ｔｗｏｍｉｎの場合、制御情報変更信号２０１０として＋１を出力する。制御情報変更信号２０１０は、制御情報変更信号処理部２００２に入力される。
【００８９】
制御情報変更信号処理部２００２は、制御情報変更信号２０１０に対し、図５の対応表を用いて、制御情報変更信号２０１０（＋１）によって、量子化値Ｙｖｑ６を出力とし、制御情報１１００としてＨ．２６３構成部１０１０に通知する。
【００９０】
ここで、以前の他の通信端末の送信電力値Ｘｗｏ−１の場合を検討すると、図１７に示す対応表より、制御情報変更信号２０１０として０を出力する。制御情報変更信号２０１０は、制御情報変更信号処理部２００２へ入力される。制御情報変更信号処理部２００２は、図５の対応表を用いて、制御情報変更信号２０１０（０）によって、量子化値Ｙｖｑ５を出力とし、制御情報１１００としてＨ．２６３構成部１０１０に通知する。Ｘｗｏ−１からＸｗｏへの変化により、量子化値をＹｖｑ５からＹｖｐ６へ減少させ、送信データ量を増加させる。
【００９１】
このように、本実施の形態によれば、伝送路の通信状況の一つを示す他の通信端末（送受信の相手先）の送信電力値を用いて、送信データ量を増減させることが可能となる。
【００９２】
（実施の形態６）
実施の形態６では、所定の入力情報として遅延時間測定部５１にて計測した往復遅延時間情報１１１０、及び、再送数監視部７１にて計測したデータ再送数情報１１１１を制御情報に反映させ、かつ、往復遅延時間、及び、データ再送数が小さくなった時の様子を図２、図５、図９、図１１、図１３、図１８を用いて説明する。以下の説明では、往復遅延時間をＸｔと記し、Ｘｔ−１は、Ｘｔより一つ前に計測された往復遅延時間を示す。また、データ再送数をＸｎと記し、Ｘｎ−１は、Ｘｎより一つ前に計測された往復遅延時間を示す。
【００９３】
図１８は、本実施の形態の制御情報設定部の構成の一例を示すブロック図である。図１８は、図３の制御情報設定部１０８０と同様の構成であるが、入力情報が遅延時間測定部５１からの制御情報と再送数監視部７１からの制御情報になっている点が異なる。また、入力情報の入力経路を示す矢印は、往復遅延時間情報１１１０とデータ再送数情報１１１１との入力経路を示している。
【００９４】
次いで、本実施の形態の制御情報設定部１０８０の動作を説明する。前提条件として時系列的に以前の往復遅延時間Ｘｔ−１をＴｔｍｉｎ≦Ｘｔ−１≦Ｔｔｍａｘ、以前のデータ再送数Ｘｎ−１をＴｎｍｉｎ≦Ｘｎ−１≦Ｔｎｍａｘ、現在の往復遅延時間ＸｔをＸｔ＜Ｔｔｍｉｎ、現在のデータ再送数ＸｎをＸｎ＜Ｔｎｍｉｎとする。また、図５において、量子化値、及び、フレームレートを使用し、図９において、最大再送数を使用して、Ｈ．２６３構成部１０１０、ＮＳＲＰ構成部１０７０を制御対象とし、ＡＭＲ構成部１０２０、及び、Ｈ．２２３構成部１０３０、ＣＣＳＲＬ構成部１０６０は制御しないものとする。
【００９５】
制御情報設定部１０８０は、各構成部に対し制御情報を通知する際、所定の入力情報として往復遅延時間情報１１１０、データ再送数情報１１１１を入力情報処理部２００１に入力する。入力情報処理部２００１は、往復遅延時間情報に対し図１１に示す対応表を用い、Ｘｔ＜Ｔｔｍｉｎより、制御情報変更信号２０１０として＋１を出力し、データ再送数に対し図１３に示す対応表を用い、Ｘｎ＜Ｔｎｍｉｎより、制御情報変更信号２０１０として（＋１）を出力する。制御情報変更信号２０１０の和である（＋２）は、制御情報変更信号処理部２００２に入力される。
【００９６】
制御情報変更信号処理部２００２は、制御情報変更信号２０１０に対し、図５、及び、図９に示す対応表を用いて、図５を用い、制御情報変更信号２０１０の和（＋２）によって、量子化値Ｙｖｑ７、及び、フレームレートＹｖｆ７を出力とし、制御情報１１００としてＨ．２６３構成部１０１０に通知する。また、制御情報変更信号処理部２００２は、図９を用い、制御情報変更信号２０１０の和（＋２）によって、最大再送数Ｙｎｍ７を出力とし、制御情報１１０４としてＮＳＲＰ構成部１０７０に通知する。
【００９７】
ここで、以前の往復遅延時間Ｘｔ−１の場合、図１１に示す対応表より、制御情報変更信号２０１０として０を出力する。また、以前のデータ再送数Ｘｎ−１の場合、図１３に示す対応表より、制御情報変更信号２０１０として０を出力する。制御情報変更信号２０１０の和である（０）は、制御情報変更信号処理部２００２に入力される。制御情報変更信号処理部２００２は、図５の対応表を用いて、制御情報変更信号２０１０の和（０）によって、量子化値Ｙｖｑ５、及び、フレームレートＹｖｆ５を出力とし、制御情報１１００としてＨ．２６３構成部１０１０に通知する。また、制御情報変更信号処理部２００２は、図９の対応表を用いて、制御情報変更信号２０１０の和（０）によって、最大再送数Ｙｎｍ５を出力とし、制御情報１１０４としてＮＳＲＰ構成部１０７０に通知する。
【００９８】
往復遅延時間がＸｔ−１からＸｔへ変化し、及び、データ再送数がＸｎ−１からＸｎへ変化することにより、量子化値をＹｖｑ５からＹｖｐ７へ減少、フレームレートをＹｖｆ５からＹｖｆ７へ増加し送信データ量を増加させると同時に、最大再送数をＹｎｍ５からＹｎｍ７へ減少させる。
【００９９】
このように、本実施の形態によれば、伝送路の通信状況を示す往復遅延時間とデータ再送数とを用いて、送信データ量を増減させることが可能となる。
【０１００】
なお、上記各実施の形態で説明した、制御情報を作成する機能（設定部８０あるいは制御情報設定部１０８０の機能）は、コンピュータで実行可能なプログラムを用いて実現することが可能である。
【産業上の利用可能性】
【０１０１】
本発明にかかる通信端末は、転送路の通信状況を用いて、送信データ量を最適化、例えば、通信するデータ量やデータパケットの形態を制御することができるため、無線通信を用いる携帯端末など通信状況が変化しやすい機器におけるテレビ電話システムとして有用である。
【図面の簡単な説明】
【０１０２】
【図１】本発明の実施の形態の通信端末の構成の一例を示すブロック図
【図２】本発明の実施の形態１に係る携帯端末の構成を示すブロック図
【図３】実施の形態１の制御情報設定部の構成の一例を示すブロック図
【図４】入力情報と制御情報変更信号との対応表の一例を示す図
【図５】制御情報変更信号と制御情報との対応表（Ｈ．２６３構成処理）の一例を示す図
【図６】制御情報変更信号と制御情報との対応表（ＡＭＲ構成処理）の一例を示す図
【図７】制御情報変更信号と制御情報との対応表（Ｈ．２２３構成処理）の一例を示す図
【図８】制御情報変更信号と制御情報との対応表（ＣＣＳＲＬ構成処理）の一例を示す図
【図９】制御情報変更信号と制御情報との対応表（ＮＳＲＰ構成処理）の一例を示す図
【図１０】実施の形態２の制御情報設定部の構成の一例を示すブロック図
【図１１】実施の形態２の入力情報（往復遅延時間情報）と制御情報変更信号の対応表の一例を示す図
【図１２】実施の形態３の制御情報設定部の構成の一例を示すブロック図
【図１３】実施の形態３の入力情報（データ再送数情報）と制御情報変更信号の対応表の一例を示す図
【図１４】実施の形態４の制御情報設定部の構成の一例を示すブロック図
【図１５】実施の形態４の入力情報（自局端末の送信電力値）と制御情報変更信号の対応表の一例を示す図
【図１６】実施の形態５の制御情報設定部の構成の一例を示すブロック図
【図１７】実施の形態５の入力情報（他の通信端末の送信電力値）と制御情報変更信号の対応表の一例を示す図
【図１８】実施の形態６の制御情報設定部の構成の一例を示すブロック図
【符号の説明】
【０１０３】
１００  通信端末
１０  映像圧縮伸張部
２０  音声圧縮伸張部
３０  多重化部
４０  ベースバンド部
５０  制御部
５１  遅延時間測定部
６０  分割結合部
７０  再送部
７１  再送数監視部
８０  設定部
１０００  携帯端末
１０１０  Ｈ．２６３構成部
１０２０  ＡＭＲ構成部
１０３０  Ｈ．２２３構成部
１０４０  ベースバンド構成部
１０５０  Ｈ．２４５構成部
１０６０  ＣＣＳＲＬ構成部
１０７０  ＮＳＲＰ構成部
１０８０  制御情報設定部
１０９０  基地局
２００１  入力情報処理部
２００２  制御情報変更信号処理部
【図１】
2006222663.tif 000003
【図２】
2006222663.tif 000004
【図３】
2006222663.tif 000005
【図４】
2006222663.tif 000006
【図５】
2006222663.tif 000007
【図６】
2006222663.tif 000008
【図７】
2006222663.tif 000009
【図８】
2006222663.tif 000010
【図９】
2006222663.tif 000011
【図１０】
2006222663.tif 000012
【図１１】
2006222663.tif 000013
【図１２】
2006222663.tif 000014
【図１３】
2006222663.tif 000015
【図１４】
2006222663.tif 000016
【図１５】
2006222663.tif 000017
【図１６】
2006222663.tif 000018
【図１７】
2006222663.tif 000019
【図１８】
2006222663.tif 000020